(57)【要約】室内空間の空気環境を制御する複数の室内環境制御装置（２）と、複数の室内環境制御装置（２）各々と情報の送受信が可能となるように接続された制御端末（３）と、を備えた機器管理システム（１）であって、制御端末（３）は、公衆回線を介して接続された移動通信機（９）と通信可能な外部通信部（３４）と、外部通信部（３４）を介して移動通信機（９）から室内環境制御装置（２）の動作条件に関連する情報を取得する条件取得部（３１）と、条件取得部（３１）が取得した情報に基づいて室内環境制御装置（２）の動作条件を決定する動作条件決定部（３２）と、動作条件決定部（３２）が決定した動作条件で室内環境制御装置（２）を動作させる制御部（３３）とを備える。
2017179386.tif 000002
【特許請求の範囲】
【請求項１】
室内空間の空気環境を制御する複数の室内環境制御装置と、前記複数の室内環境制御装置各々と情報の送受信が可能となるように接続された制御端末と、を備えた機器管理システムであって、
前記制御端末は、
公衆回線を介して前記公衆回線に接続された移動通信機と通信可能な外部通信部と、
前記外部通信部を介して前記移動通信機から前記室内環境制御装置の動作条件に関連する情報を取得する条件取得部と、
前記条件取得部が取得した情報に基づいて前記室内環境制御装置の動作条件を決定する動作条件決定部と、
前記動作条件決定部が決定した動作条件で前記室内環境制御装置を制御する制御部と、
を備えた機器管理システム。
【請求項２】
前記制御端末は、
前記制御端末の位置情報を記憶し、
前記動作条件決定部は、
前記外部通信部を介して取得した前記移動通信機の現在地情報と前記制御端末の位置情報とに基づいて前記制御端末と前記移動通信機との距離を算出し、
前記距離が予め記憶された所定の距離以下になった場合に前記制御部を介して前記室内環境制御装置を動作させる請求項１に記載の機器管理システム。
【請求項３】
前記動作条件決定部は、
前記外部通信部を介して複数回、前記移動通信機の現在地情報を取得し、
最後に取得した前記移動通信機の前記現在地情報と前記制御端末の位置情報に基づいて前記制御端末と前記移動通信機との距離を算出し、
前記距離が前記予め記憶された所定の距離以下になり、かつ、前記移動通信機が前記制御端末に近づいている場合に前記制御部を介して前記室内環境制御装置を制御する請求項２に記載の機器管理システム。
【請求項４】
前記条件取得部は、
前記室内空間の目標とする温度である室内目標温度を取得し、
前記動作条件決定部は、
前記条件取得部を介して前記室内目標温度を取得し、
前記外部通信部を介して複数回、異なるタイミングで前記移動通信機の現在地情報を取得し、
前記移動通信機の現在地情報と前記制御端末の位置情報とに基づいて前記制御端末と前記移動通信機との距離を算出し、
複数の前記移動通信機の現在地情報に基づいて前記移動通信機の移動速度を算出し、
算出した前記距離と前記移動速度とに基づいて、前記移動通信機が前記制御端末の位置に到達する予定時刻を逆算し、
逆算した前記予定時刻に基づいて前記室内環境制御装置のオン時刻及び動作条件を決定し、
前記制御部は、
前記動作条件決定部が決定した動作条件で前記室内環境制御装置を制御する請求項２に記載の機器管理システム。
【請求項５】
前記制御端末は、
前記制御端末の位置情報を記憶し、
前記動作条件決定部は、
前記外部通信部を介して取得した前記移動通信機の現在地情報と前記制御端末の位置情報とに基づいて前記制御端末と前記移動通信機との距離と、前記制御端末からの前記移動通信機の方位とを算出し、
前記方位と過去の前記方位における前記移動通信機が前記制御端末の位置に到達するまでの時間の履歴とに基づいて、前記移動通信機が前記制御端末の位置に到達する予定時刻を予測し、
予測した前記予定時刻に基づいて前記室内環境制御装置のオン時刻を決定し、
前記制御部は、
前記動作条件決定部が決定した動作条件で前記室内環境制御装置を動作させる請求項１に記載の機器管理システム。
【請求項６】
前記条件取得部は、
前記室内空間の目標とする温度である室内目標温度と、
室外空間の温度と、を取得し、
前記室内目標温度と前記室外空間の温度との差に基づいて前記予め記憶された所定の距離を変更する請求項４に記載の機器管理システム。
【請求項７】
前記条件取得部は、
前記室内目標温度と前記室外空間温度との差が大きい場合には前記所定の距離を長く変更する請求項６に記載の機器管理システム。
【請求項８】
前記条件取得部は、
前記室内目標温度と前期室外空間温度との差が小さい場合には前記所定の距離を短く変更する請求項６に記載の機器管理システム。
【請求項９】
前記動作条件決定部は、
前記室内環境制御装置の動作を開始した後に前記移動通信機の現在地情報を取得し、
前記移動通信機の移動が停止し、または前記移動通信機が前記制御端末から離れている場合には動作中の室内環境制御装置を停止する請求項２に記載の機器管理システム。
【請求項１０】
自機の現在地情報を取得可能であると共に公衆回線を介して前記公衆回線に接続された前記制御端末と通信可能な移動通信機を備え、
前記制御端末は、
前記制御端末の位置情報を記憶し、
前記移動通信機は、
前記制御端末から前記公衆回線を介して前記位置情報を取得し、
前記位置情報と前記移動体通信機の現在地情報とに基づいて前記制御端末と前記移動通信機との距離を算出し、
前記距離が所定の距離以下になった場合に、前記制御端末を構成する前記動作条件決定部に前記室内環境制御装置を動作させる旨の動作命令を送信し、
前記動作条件決定部は、
前記移動通信機からの前記動作命令を受けて、前記制御部を介して前記室内環境制御装置を動作させる請求項１に記載の機器管理システム。
【請求項１１】
前記移動通信機は、
異なるタイミングで複数回、前記制御端末との距離を算出し、
前記距離が所定の距離以下になり、かつ、前記移動通信機が前記制御端末に近づいている場合に前記動作命令を送信し、前記制御端末を介して前記室内環境制御装置を動作させる請求項１０に記載の機器管理システム。
【請求項１２】
前記移動通信機は、
前記室内環境制御装置の動作を開始した後に前記移動通信機の現在地情報を取得し、
前記移動通信機の移動が停止し、または前記移動通信機が前記制御端末から離れている場合には停止命令を送信し、動作中の前記室内環境制御装置を前記制御端末を介して停止する請求項１１記載の機器管理システム。
【請求項１３】
前記移動通信機は、携帯電話、カーナビゲーション装置又はＧＳＰ発信機である請求項１に記載の機器管理システム。
【発明の詳細な説明】
【技術分野】
【０００１】
本発明は、機器管理システムに関する。
【背景技術】
【０００２】
従来、外気を取り入れることによって、室内空間の環境をより快適にするための管理システムが知られている。【０００３】
例えば、建物内の室温および外気温を測定し、建物の居住者が外気を取り入れることで快適と感じる状況になれば、居住者に対して建物における通風のための主要な窓を開放することを薦めるメッセージを出力したり、窓の開閉状態に応じて建物内の温度管理をする空調装置のオンオフ状態を制御したりする技術が開発されている（特許文献１）。
【先行技術文献】
【特許文献】
【０００４】
【特許文献１】特開２０１２−２５１７３１号公報
【発明の概要】
【０００５】
特許文献１に記載された技術は、室内に人が居ることが前提とされた制御である。しかしながら、実際にはこのような場合に限定されず、例えば人が室内に入る前に室内の空気環境の調整が可能なシステムが望まれている。
【０００６】
本発明は、このような課題を解決するためにされたものであり、外出している人が住居などの拠点に戻るタイミングを精度よく検出することで、無人時においてもエネルギーロスを抑えながら室内空間の空気環境を整える機器管理システムを提供することを目的とする。
【０００７】
上記目的を達成するために、本発明に係る機器管理システムの一態様は、室内空間の空気環境を制御する複数の室内環境制御装置と、複数の室内環境制御装置各々と情報の送受信が可能となるように接続された制御端末と、を備えた機器管理システムである。制御端末は、公衆回線を介して公衆回線に接続された移動通信機と通信可能な外部通信部と、外部通信部を介して移動通信機から室内環境制御装置の動作条件に関連する情報を取得する条件取得部と、条件取得部が取得した情報に基づいて室内環境制御装置の動作条件を決定する動作条件決定部と、動作条件決定部が決定した動作条件で室内環境制御装置を制御する制御部と備える。
【０００８】
本発明によれば、外出している人（ユーザ）が住居などの拠点に戻るタイミングを精度よく検出することができるため、無人時においてもエネルギーロスを抑えながら室内空間の空気環境を整えることができる。
【図面の簡単な説明】
【０００９】
【図１】図１は、実施の形態における機器管理システムのブロック図である。
【図２】図２は、実施の形態における室内空間の一例の概略図である。
【図３】図３は、実施の形態におけるフード付換気装置の一例の概略図である。
【図４】図４は、実施の形態における動作条件決定部の動作の一例を示すフローチャートである。
【図５】図５は、実施の形態における制御端末と外部通信機との位置関係を示す概略図である。
【図６】図６は、実施の形態における動作条件決定部の動作の他の例を示すフローチャートである。
【図７】図７は、実施の形態における制御端末と外部通信機との位置関係を示す概略図である。
【図８】図８は、実施の形態における動作条件決定部の動作の一例を示すフローチャートである。
【図９】図９は、実施の形態における動作条件決定部の動作の他の例を示すフローチャートである。
【図１０】図１０は、実施の形態における制御端末と移動通信機との位置関係を示す概略図である。
【図１１】図１１は、実施の形態における制御端末のブロック図である。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図において、実質的に同一の構成に対しては同一の符号を付しており、重複する説明は省略又は簡略化する。
【００１２】
（実施の形態）
まず、本発明の実施の形態に係る機器管理システム１の構成について、図１〜３を用いて説明する。
【００１３】
［機器管理システムの基本構成］
図１は、実施の形態における機器管理システムのブロック図である。図２は、実施の形態における室内空間の一例の概略図である。
【００１４】
本実施の形態に係る機器管理システム１は、複数の室内環境制御装置２と、制御端末３と、移動通信機９とを備えている。
【００１５】
複数の室内環境制御装置２は、室内空間６の空気環境を制御する。また、複数の室内環境制御装置２のうち少なくとも１つは、室内空間６から室外空間７に空気を搬送するフード付換気装置２１として例示する。ここで室内空間６とは、リビングやダイニング、部屋（個室）など、壁、床、及び屋根に囲まれた空間を指し、屋内と言い換えることもできる。なお、窓や換気の為のダクトなどが備えられ、これらが通気可能状態になっている空間も室内空間６に該当する。また室外空間７とは、屋内に対して床や壁、屋根のうち少なくとも１つが欠けた空間を指し、屋外と言い換えることもできる。
【００１６】
制御端末３は、複数の室内環境制御装置２と情報の送受信が可能となるように接続されている。
【００１７】
以下、機器管理システム１の各構成要素について説明する。
【００１８】
［フード付換気装置］
図３は、実施の形態におけるフード付換気装置の一例の概略図である。図３に示すように、フード付換気装置２１は、排気ファン２１０と、フード部２１１と、室外吐出口２１２と、室内吸込口２１３とを備えている。排気ファン２１０は、室内空間６の空気を吸込み、吸込んだ空気を室外空間７に排気する。フード部２１１は、排気ファン２１０を覆っている。室外吐出口２１２は、室内空間６と室外空間７とを連通している。室内吸込口２１３は、フード部２１１の下方の空気を吸込むために、フード部２１１の下方に向けて開口している。排気ファン２１０は、例えば、モーターの回転軸に保持された羽根車から構成されている。モーターに電動機に通電することによってモーターの回転軸が回転する。そして、モーターの回転軸を介して羽根車が回転することによって、排気ファン２１０は、室内吸込口２１３から室外吐出口２１２に流れる気流を生じさせる。
【００１９】
フード部２１１と室外吐出口２１２とは、例えば、排気管２１４によって接続されている。なお、フード部２１１は、直接、室外吐出口２１２と接続されていてもよい。
【００２０】
また、フード付換気装置２１は、調理時に発生する煙を室内吸込口２１３から吸込み、室外吐出口２１２を介して室外空間７に排出するレンジフード装置であることが好ましい。
【００２１】
フード付換気装置２１がレンジフード装置である場合、台所の調理台１０に設けられたコンロ上部に室内吸込口２１３が配置される。このような構成により、フード付換気装置２１は、調理時に用いられる排気装置としても機能する。また、レンジフード装置としてのフード付換気装置２１は、図２に示すように、居住者が多くの時間を過ごすことが多いリビングダイニングの室内空間６に設置される事が多い。そのため、フード付換気装置２１は、居住者に対してより効率的に室内空間６の空気環境を整えることができる。また、マンション等の集合住宅において、レンジフード装置は、建設時に設計された位置に備え付けの設備として設置されることが多い。そのため、機器管理システム１は、レンジフード装置としてのフード付換気装置２１を管理しやすい。
【００２２】
また、フード付換気装置２１の排気ファン２１０は、２００ｍ３／ｈ以上の排気能力を有することが好ましい。このような構成により、フード付換気装置２１は、十分に大きな排気能力を持つため、短時間により多くの空気を排気することができる。
【００２３】
また、フード付換気装置２１は、排気ファン２１０による排気量を多段階に設定することによって、送風量を制御できることが好ましい。このような構成により、フード付換気装置２１は、室内空間６と室外空間７との間における換気量を適切に制御することができる。
【００２４】
また、フード付換気装置２１は、室内空間６から室外空間７に空気を搬送する搬送路を開閉することが可能な排気シャッター２１５を備えていてもよい。排気シャッター２１５をフード付換気装置２１の運転が停止している場合に閉じることによって、室内空間６の気密性を向上させることができる。排気シャッター２１５の設置位置としては、例えば、フード部２１１と排気管２１４の接続部があげられるが、これに限定されない。
【００２５】
［空調装置］
複数の室内環境制御装置２のうち少なくとも１つは、室内空間６内の空気の加熱または冷却によって、室内空間６の温度制御を行う空調装置２２としてもよい。
【００２６】
空調装置２２は、室内空間６の温度を目標とする温度にするために、空気の加熱または冷却を行う。空調装置２２は、例えば、室内空間６内の空気の冷却のみを行う冷房専用装置でもよいし、室内空間６内の空気の加熱のみを行う暖房専用装置でもよいし、室内空間６内の空気の加熱及び冷却を切り替えて運転できる冷暖房兼用装置でもよい。
【００２７】
空調装置２２を備えることにより、室内環境制御装置２は、室内空間６内の空気を加熱または冷却することが可能となり、室内空間６の温度をより幅広い範囲で制御することが可能となる。
【００２８】
［温度センサ］
機器管理システム１は、さらに室内空間６内の温度である室内温度を測定する室内温度センサ４を備えていてもよい。また、機器管理システム１は、さらに室外空間７の温度である室外温度を測定する室外温度センサ５を備えていてもよい。室外温度とは、すなわち外気温のことである。
【００２９】
室内温度センサ４および室外温度センサ５は、それぞれ、電気的に温度情報を取得し、得られた温度情報は、制御端末３の条件取得部３１（詳細は後述）に送信される。室内温度センサ４および室外温度センサ５は、例えば、赤外放射温度計、サーモグラフィ、サーミスタ、白金測温抵抗又は熱電対を備え、温度測定を行う。
【００３０】
機器管理システム１が室内温度センサ４を備えることによって、室内空間６の目標とする室内目標温度と、室内温度センサ４で測定された室内温度とを比較し、室内環境制御装置２をより効率的に制御することができる。
【００３１】
また、機器管理システム１が室外温度センサ５をさらに備えることによって、室外温度センサ５で測定された室外温度と、目標とする室内目標温度と、室内温度センサ４で測定された室内温度とを比較し、室内環境制御装置２をより効率的に制御することができる。
【００３２】
なお室内温度センサ４は、フード付換気装置２１や空調装置２２等の室内環境制御装置２が備えるものを代用可能である。具体的には、室内環境制御装置２における例えば制御部３３及び内部ネットワーク８を介して、制御端末３が室内環境制御装置２の温度情報を取得する。
【００３３】
［制御端末］
制御端末３は、条件取得部３１と、動作条件決定部３２と、制御部３３と、外部通信部３４と、を備えている。以下、制御端末３の各構成要素について説明する。
【００３４】
条件取得部３１は、室内環境制御装置２の動作条件に関連する情報を取得する。動作条件に関連する情報としては、例えば、室内目標温度、室内空間６の室内温度、室外空間７の室外温度、室内環境制御装置２の設置数や種類等が該当する。ここでいう室内目標温度とは、室内環境制御装置２を動作させた場合における、室内空間６の制御目標温度のことである。条件取得部３１は、これら動作条件に関連する情報のうち、少なくとも１つを取得する。
【００３５】
条件取得部３１が室内目標温度を取得する方法としては、例えば、制御端末３に表示パネル（図示せず）などの入力装置を設けて、そこから条件取得部３１に室内目標温度を入力する方法が挙げられる。また、例えば、条件取得部３１は、内部ネットワーク８を介して表示パネルと接続しており、表示パネルから条件取得部３１に室内目標温度を入力する構成としてもよい。また、例えば、条件取得部３１は無線通信等を介してタブレット端末や携帯電話端末と接続しており、タブレット端末や携帯電話端末から室内目標温度を条件取得部３１に入力する構成としてもよい。ここで内部ネットワーク８とは、室内空間６に配置され、自己の管理下にある各通信端末を接続するネットワークを指す。これに対して、室外空間７に位置する通信端末が接続されるネットワークを外部ネットワークとし、具体的にはインターネット９１やインターネット９１を含む公衆回線等が該当する。
【００３６】
条件取得部３１が、室内空間６の室内温度及び室外空間７の室外温度を取得する方法としては以下がある。例えば、条件取得部３１は、内部ネットワーク８を介して室内温度センサ４および室外温度センサ５と接続しており、室内温度センサ４および室外温度センサ５から出力情報である、温度情報を取得する。
【００３７】
条件取得部３１が、室内環境制御装置２の設置数や種類を取得する方法としては、上記に記載した、室内目標温度を取得する方法と同様の方法が挙げられる。
【００３８】
動作条件決定部３２は、条件取得部３１が取得した動作条件に関連する情報に基づいて各々の室内環境制御装置２の動作条件を決定する。動作条件を決定する方法としては例えば以下の方法がある。まず、制御端末３は、後述する処理によってユーザの帰宅時間を予測する。次に、制御端末３は、予測されるユーザの帰宅時間に応じてフード付換気装置２１を動作させて外気を利用し、エネルギーロスを抑えて室内空気環境を整える。そして、制御端末３は、外気のみでは室内目標温度を達成できない場合には、空調装置２２を利用して室内空気環境を整える。このような処理は、ユーザの帰宅時間の予測精度が高いほど、エネルギーロスを抑制することが可能になる。なお、動作条件については様々な処理が考えられるが、本願においてはユーザの帰宅時間の予測精度を高めることを目的とするため、詳細は省略する。
【００３９】
制御部３３は、動作条件決定部３２が決定した動作条件で室内環境制御装置２を動作させる。制御部３３は、内部ネットワーク８を介して複数の室内環境制御装置２と情報の送受信が可能となるように接続されている。制御部３３は、内部ネットワーク８を介して複数の室内環境制御装置２と通信することで、複数の室内環境制御装置２を制御する。
【００４０】
制御端末３と室内環境制御装置２とを接続する内部ネットワーク８は、例えば、Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ（以下ＤＥＣＴと称する）方式を用いた無線通信を利用していても良い。ＤＥＣＴ方式を用いた無線通信は、電磁波ノイズからの影響を受けないため、電子レンジや電磁調理器などの電磁波ノイズを発生させる機器の近くでも無線による接続が可能となる。また、ＤＥＣＴを使用することで、例えば一戸建て住宅等において長距離の内部ネットワークによる無線接続が必要な環境でも安定して接続することができる。
【００４１】
［移動通信機と外部通信部］
移動通信機９は、少なくとも室外空間７で移動させることができ、移動させた場所においても外部ネットワーク、すなわちインターネット９１を介して情報を送受信することが可能な通信機器である。具体的には、例えば、移動通信機９としては、携帯電話、カーナビゲーション装置又はＧＰＳ（Ｇｌｏｂａｌ  Ｐｏｓｉｔｉｏｎｉｎｇ  Ｓｙｓｔｅｍ）発信機が該当する。ＧＰＳ発信機とは、自機の現在地をＧＰＳ衛星からの信号などを受信して特定し、外部ネットワークを介して他の端末に送信する機器を指し、例えば第三者による子供や車の位置特定に利用される。
【００４２】
移動通信機９は、例えば、無線通信によってインターネット９１に接続することができる。また、移動通信機９は、ＧＰＳ機能や無線通信で用いる基地局情報の取得によって移動通信機９のその時点における位置情報、すなわち現在地情報を取得できる位置情報取得機能を備えている。
【００４３】
外部通信部３４は、インターネット９１と接続されており、インターネット９１を介して、インターネット９１に接続された移動通信機９と通信することが可能である。外部通信部３４は、移動通信機９との通信によって移動通信機９から得られた情報のうち、室内環境制御装置２の動作条件に関連する情報や現在地情報を条件取得部３１に送信する。
【００４４】
［位置情報検出と室内環境制御装置の動作決定］
以下、ユーザの帰宅時間の予測精度を高めるための制御端末３及び移動通信機９の位置情報検出と、室内環境制御装置２の動作決定に関して説明する。
【００４５】
（制御端末の位置情報）
条件取得部３１は、上述した室内環境制御装置２の動作条件に加え、制御端末３の位置情報を記憶している。制御端末３の位置情報は、例えば、制御端末３を設置する際に、外部の入力端末や表示パネルを介して入力することができる。また、制御端末３に、移動通信機９と同様の位置情報取得機能を有し、当該機能から位置情報を取得する構成にしてもよい。位置情報としては、制御端末３の位置する場所の緯度経度、あるいは特定の場所を示す位置情報（コード等）を記憶してもよいし、制御端末３が設置されている建物の住所や郵便番号などでもよい。
【００４６】
（移動通信機の位置情報を用いた制御端末による動作条件決定の一例）
次に、実施の形態において、移動通信機９の位置情報を用いた制御端末３（動作条件決定部３２）による動作条件決定の一例について図４を用いて説明する。図４は、実施の形態における動作条件決定部の動作の一例を示すフローチャートである。
【００４７】
動作条件決定部３２は、条件取得部３１に記憶されている制御端末３の位置情報を参照する（ステップＳ６１）。次に、動作条件決定部３２は、外部通信部３４が取得した移動通信機９の現在地情報を、条件取得部３１を介して取得する（ステップＳ６２）。
【００４８】
動作条件決定部３２は、制御端末３の位置情報と移動通信機９の現在地情報に基づいて、制御端末３と移動通信機９との距離を算出する（ステップＳ６３）。次に動作条件決定部３２は、制御端末３と移動通信機９との距離が所定の距離以下であるかどうかを判断する（ステップＳ６４）。ここで所定の距離とは、例えば表示パネル等を介して制御端末３、例えば条件取得部３１に予め記憶された固定の数値であり、具体的には１０ｋｍなどが該当する。
【００４９】
動作条件決定部３２は、制御端末３と移動通信機９との距離が所定の距離以下である場合は（ステップＳ６４でＹｅｓ）、室内環境制御装置２の動作を開始する指示を制御部３３に出力する（ステップＳ６５）。また、制御端末３と移動通信機９との距離が所定の距離より長い場合は（ステップＳ６４でＮｏ）、所定の時間経過後にステップＳ６２に戻る。
【００５０】
ここで、移動通信機９を所持しているユーザが、所定の距離で示される距離を移動して制御端末３が設置されている室内空間６にまっすぐ戻るのに要する時間を帰着時間と定義する。また、室内環境制御装置２によって室内空間６の空気環境を整えるのに要する時間を空気環境調整時間と定義する。なお、空気環境調整時間が帰着時間より長い場合には、ユーザの帰宅までに室内空間６の空気環境を整えることができない。また、空気環境調整時間は、ユーザの移動手段や、ユーザが要求する室内空間６の空気環境、あるいは各室内環境制御装置２の能力等によって異なる。よって、所定の距離は、ユーザが表示パネル等を介して適宜変更できる構成とする。これにより、必要に応じて所定の距離を長く設定することで、計測できる帰着時間の範囲を長く設定し、ユーザの要求する空気環境を提供することができる。
【００５１】
このような構成にすることにより、事前にタイマー等で帰宅時間をセットする必要なく、人（ユーザ）がもうすぐ帰宅すると考えられる場合に室内環境制御装置２の動作を開始することができる。ここで、室内環境制御装置２の動作の例として、フード付換気装置２１をオン状態にするという動作等が挙げられるがこれに限定しない。
【００５２】
次に、動作条件決定部３２は、ステップＳ６５完了後、所定の時間経過後に、外部通信部３４を介して、移動通信機９の現在地情報を取得する（ステップＳ６６）。動作条件決定部３２は、ステップＳ６１で参照した制御端末３の位置情報とステップＳ６６で取得した移動通信機９の現在地情報に基づいて、制御端末３と移動通信機９との距離を算出する（ステップＳ６７）。動作条件決定部３２は、ステップＳ６３で算出した制御端末３と移動通信機９との距離Ｄ６３と、ステップ６７で算出した制御端末３と移動通信機９との距離Ｄ６７とを比較する（ステップＳ６８）。図５は、実施の形態における制御端末と外部通信機との位置関係を示す概略図である。図５に示すように、距離Ｄ６７が、距離Ｄ６３よりも長い場合、移動通信機９が制御端末３から離れていると判断する。また、距離Ｄ６７が距離Ｄ６３に対して変化していない場合、移動通信機９の移動が停止していると判断する。動作条件決定部３２は、距離Ｄ６３≦距離Ｄ６７の場合（ステップＳ６８でＹｅｓ）、制御部３３に対して動作中の室内環境制御装置２を停止する指示を出力する（ステップＳ６９）。また、動作条件決定部３２は、距離Ｄ６３＞距離Ｄ６７の場合（ステップＳ６８でＮｏ）、ステップＳ６６に戻る指示を出力する。
【００５３】
このような構成にすることにより、移動通信機９を所持するユーザが、室内空間６に直ちに戻る可能性が低くなった場合に、室内環境制御装置２を停止することができる。これにより、室内環境制御装置２の無駄な運転時間を減少させることができる。なお、動作条件決定部３２は、室内環境制御装置２を一度停止させた後でも、再度、室内環境制御装置２を動作させることができる。例えば、動作条件決定部３２は、ステップＳ６９が完了し、所定の時間が経過した後に、再びステップＳ６１からフローを開始する。これにより、動作条件決定部３２は、制御端末３と移動通信機９の距離を算出し、再び移動通信機９が制御端末３に近づいていると判断した場合は、再度、室内環境制御装置２を動作させることができる。
【００５４】
また、所定の距離を短く設定することで、不要に室内環境制御装置２の動作開始指示が出力されることを防止することができる。
【００５５】
また、条件取得部３１は、取得した室内目標温度と室外空間７の温度の差に基づいて予め記憶された所定の距離を変更できる構成としてもよい。室内目標温度と室外空間７の温度の差が大きい場合、例えば５℃以上の場合は、予め記憶された所定の距離を長く変更する。室内目標温度と室外空間７の温度の差が小さい場合、例えば５℃未満の場合は、予め記憶された所定の距離を短く変更する。つまり、予め記憶された所定の距離を室内目標温度と室外空間７の温度の差に応じて動的に増減させる。これにより、例えば温度の差が大きい場合には所定の距離を長くすることで、ユーザが室内空間６に戻るまでの時間を早い段階で認識でき、すなわち室内空間の環境を整えるための時間を十分に確保することができる。よって、種々の室内環境制御装置２を組み合わせる時間が確保できるため、エネルギーロスを抑えながら室内空間６の空気環境を整えることができる。
【００５６】
（移動通信機の位置情報を用いた制御端末による動作開始決定の他の例）
次に、移動通信機９の位置情報を用いた制御端末３による動作開始決定の他の例について、図６、図７を用いて説明する。図６は、実施の形態における動作条件決定部の動作の他の例を示すフローチャートである。図７は、実施の形態における制御端末と外部通信機との位置関係を示す概略図である。先に説明した一例における制御端末３は、制御端末３と移動通信機９との距離に応じて室内環境制御装置２を動作させた後、再度、制御端末３と移動通信機９との距離を測定していた。これに対し、以下で述べる他の例における制御端末３は、室内環境制御装置２を動作させる前に、制御端末３と移動通信機９との距離を２回測定する。以下、詳細について説明する。
【００５７】
動作条件決定部３２は、条件取得部３１に記憶されている制御端末３の位置情報を参照する（ステップＳ７１）。次に、動作条件決定部３２は、外部通信部３４が取得した移動通信機９の現在地情報を、条件取得部３１を介して取得する（ステップＳ７２）。
【００５８】
動作条件決定部３２は、制御端末３の位置情報と移動通信機９の現在地情報に基づいて、制御端末３と移動通信機９との距離を算出する（ステップＳ７３）。次に、動作条件決定部３２は、ステップＳ７３完了後、所定の時間経過後に、外部通信部３４を介して、移動通信機９の現在地情報を取得する（ステップ７４）。動作条件決定部３２は、ステップＳ７１で参照した制御端末３の位置情報とステップＳ７４で取得した移動通信機９の位置情報に基づいて、制御端末３と移動通信機９との距離を算出する（ステップＳ７５）。動作条件決定部３２は、ステップＳ７３で算出した制御端末３と移動通信機９との距離Ｄ７３と、ステップＳ７５で算出した制御端末３と移動通信機９との距離Ｄ７５とを比較する（ステップＳ７６）。ここで、距離Ｄ７５＜距離Ｄ７３の場合は（ステップＳ７６でＹｅｓ）、ステップＳ７７に進み、それ以外の場合は（ステップＳ７６でＮｏ）、ステップＳ７２に戻る。
【００５９】
次に、ステップＳ７７では、動作条件決定部３２は、距離Ｄ７５が所定値以下かどうかを判断する（ステップＳ７７）。距離Ｄ７５が所定値以下の場合（ステップＳ７７でＹｅｓ）、動作条件決定部３２は、図７に示すように、制御端末３と移動通信機９との距離が所定の距離以下になり、かつ、移動通信機９が制御端末３に近づいていると判断する。そして、動作条件決定部３２は、制御部３３を介して室内環境制御装置２を動作させる（ステップＳ７８）。また、距離Ｄ７５が所定値より大きい場合（ステップＳ７７でＮｏ）、ステップＳ７２に戻る。
【００６０】
このような構成にすることにより、事前にタイマー等で帰宅時間をセットする必要なく、ユーザがもうすぐ帰宅すると考えられる場合に室内環境制御装置２の動作を開始することができる。またこれに加えて、本実施の形態では、移動通信機９の制御端末３に対する移動方向も、動作開始の判断に入れている。これにより、より正確に、移動通信機９を所持するユーザの帰宅可能性を検知することができ、室内環境制御装置２のエネルギーロスを抑えることができる。よって、効率的な機器管理が可能となる。
【００６１】
（移動通信機の位置情報を用いた制御端末による動作開始時刻決定の一例）
次に、移動通信機９の位置情報を用いた制御端末３による動作開始時刻決定の一例について、図８を用いて説明する。図８は、実施の形態における動作条件決定部の動作の一例を示すフローチャートである。制御端末３は、移動通信機９の移動速度を算出し、ユーザの到着時刻を予想することができる。以下、詳細について説明する。
【００６２】
動作条件決定部３２は、条件取得部３１に記憶されている室内目標温度と制御端末３の位置情報を取得する（ステップＳ８１）。次に、動作条件決定部３２は、条件取得部３１を介して移動通信機９から複数回、異なるタイミングで時間情報と現在地情報を取得する（ステップＳ８２）。
【００６３】
動作条件決定部３２は、制御端末３の位置情報と移動通信機９の現在地情報に基づいて、制御端末３と移動通信機９との距離を算出する（ステップＳ８３）。動作条件決定部３２は、ステップＳ８２で複数回取得した移動通信機９の時間情報と現在地情報に基づいて、移動通信機９の移動速度を算出する（ステップＳ８４）。動作条件決定部３２は、ステップＳ８４で算出した移動速度と、ステップＳ８３にて算出した距離とに基づいて、移動通信機９が制御端末３の位置に到達する予想時刻を逆算する（ステップＳ８５）。動作条件決定部３２は、ステップＳ８５で算出した予想時刻を、室内目標温度が達成されるべき室温達成時刻として設定し、室温達成時刻に基づいて室内環境制御装置２を開始するオン時刻を決定する。なお、このとき、室内環境制御装置２のうち、フード付換気装置２１のみを運転開始とするのか、空調装置２２のみを運転開始とするのか等、どの装置を動かすかについても決定することができる（ステップＳ８６）。動作条件決定部３２は、ステップＳ８６で決定したオン時刻を含めた室内環境制御装置２の動作条件を制御部３３に出力する（ステップＳ８７）。
【００６４】
このように構成によれば、制御端末３は、移動通信機９の移動速度を算出することで、移動通信機９を所持するユーザが室内空間６に戻るタイミングを精度よく予測できる。制御端末３は、ユーザが室内空間６に戻る時刻である室温達成時刻に基づいて室内環境制御装置２の動作条件を決定する。このため、制御端末３は、最もエネルギーロスが低い動作条件で必要な室内環境にすることができる。
【００６５】
（移動通信機の位置情報を用いた制御端末による動作開始時刻決定の他の例）
次に、移動通信機９の位置情報を用いた制御端末１０３による動作開始時刻決定の他の例について、図９、図１０および図１１を用いて説明する。図９は、実施の形態における動作条件決定部の動作の他の例を示すフローチャートである。図１０は、実施の形態における制御端末と移動通信機との位置関係を示す概略図である。図１１は、実施の形態における制御端末のブロック図である。以下に説明する他の例における制御端末１０３は、上記に説明した機能に加え、過去の時間履歴から移動通信機９が制御端末１０３の位置に到達する予定時刻を算出する機能を有する。以下、詳細について説明する。
【００６６】
動作条件決定部３２は、条件取得部３１に記憶されている室内目標温度と制御端末１０３の位置情報を取得する（ステップＳ９１）。次に、動作条件決定部３２は、条件取得部３１を介して移動通信機９から現在地情報を取得する（ステップＳ９２）。
【００６７】
動作条件決定部３２は、制御端末１０３の位置情報と移動通信機９の現在地情報に基づいて、制御端末１０３と移動通信機９との距離を算出する。また、制御端末１０３の位置情報と移動通信機９の現在地情報に基づいて、制御端末１０３に対して移動通信機９が位置する方位を算出する（ステップＳ９３）。
【００６８】
ここで、制御端末１０３からの移動通信機９の方位は、例えば図１０で示すように、制御端末１０３を中心にして東、西、南、北、北東、北西、南東、南西の８つのエリアに分割する。
【００６９】
動作条件決定部３２は、まず、ステップＳ９３で算出した方位と、距離とに基づいて、過去に一回以上、移動通信機９が上記方位から制御端末１０３の位置に到達するまでの時間を記憶したかどうか判定する（ステップＳ９４）。判定は、例えば以下のように行われる。
【００７０】
制御端末１０３は、図１１に示すように、実績記憶部３５を有する。実績記憶部３５は、エリアと、エリアにおける制御端末１０３と移動通信機９の距離と、エリアにおける移動通信機９の距離から制御端末１０３の位置に到達した時間とを関連付けて、過去の実績として記憶する。そして動作条件決定部３２は、実績記憶部３５における過去の同一条件に合致するデータの有無を検索する。つまり、合致するデータが無い場合には、該当するエリアからの制御端末１０３の位置への到達実績がないと判断する。合致するデータがある場合には、データの時間が後述する時間履歴として利用可能である。
【００７１】
過去一度もステップＳ９３で算出した移動通信機９の方位から制御端末１０３の位置に到達していない場合（ステップＳ９４でＮｏ）、制御端末１０３の位置まで移動し、算出した方位と算出した方位から制御端末１０３まで到達する時間を記憶し、ステップＳ９２に戻る（ステップＳ９５）。
【００７２】
過去一度以上、制御端末１０３からの移動通信機９の当該方位から制御端末１０３の位置まで到達し、到達するまでの時間が記憶されている場合は（ステップＳ９４でＹｅｓ）、ステップＳ９６に進む。ステップＳ９６では、記憶されている過去の方位における移動通信機９の制御端末１０３の位置に到達するまでの時間履歴に基づいて移動通信機９が制御端末１０３の位置に到達する予定時刻を算出する（ステップＳ９６）。予定時刻の算出は、例えば最新の時間履歴を採用する、或いは複数の時間履歴の平均を算出するなどして行われる。
【００７３】
そして、動作条件決定部３２は、ステップＳ９６で算出した予定時刻を、室内目標温度が達成されるべき室温達成時刻として設定し、室温達成時刻に基づいて室内環境制御装置２を開始するオン時刻を決定する。
【００７４】
なお、このとき、室内環境制御装置２のうち、フード付換気装置２１のみを運転開始とするのか、空調装置２２のみを運転開始とするのか等、フード付換気装置２１あるいは空調装置２２を動かすかについても決定することができる（ステップＳ９７）。
【００７５】
動作条件決定部３２は、ステップＳ９７で決定したオン時刻を含めた室内環境制御装置２の動作条件を制御部３３に出力する（ステップＳ９８）。なお、移動通信機９が制御端末１０３の位置まで到達する時間は、その都度記憶してもよい。過去の複数の時間履歴から移動通信機９が制御端末１０３の位置に到達する予定時刻を予測することによって、より予定時刻の精度を高めることができる。
【００７６】
このように構成することにより、より移動通信機９を所持するユーザが室内空間６に戻る時間をさらに精度よく予測できる。
【００７７】
以上、機器管理システム１について説明したが、本開示は、上記実施の形態に限定されない。本開示の趣旨を逸脱しない限り、当業者が思いつく各種変形を上記実施の形態に施したものも、本開示の範囲内に含まれる。以下、各種変形例について説明する。
【００７８】
（変形例）
（移動通信機の位置情報を用いた移動通信機による動作条件決定の一例）
本実施の形態では、動作条件決定部３２が条件取得部３１に記憶されている位置情報を算出したが、これに限定されない。
【００７９】
例えば、移動通信機９の位置情報を用いて移動通信機９が動作条件を決定するについて、一例について再度、図４を用いて説明する。
【００８０】
移動通信機９は、条件取得部３１に記憶されている制御端末３の位置情報を参照する（ステップＳ６１）。ステップＳ６２〜Ｓ６９については、「移動通信機の位置情報を用いた制御端末による動作条件決定の一例」に示した処理を、動作条件決定部３２の代わりに移動通信機９で行う点のみが異なり、他は同様である。なお、ステップＳ６２及びＳ６６において移動通信機９は、自身が有する位置情報取得機能によって移動通信機９の現在地情報を取得する。
【００８１】
このような構成にすることにより、移動通信機９が制御端末３と接続できない場合でも、制御端末３と移動通信機９との距離の算出は継続して行うことができる。つまり、移動通信機９が制御端末３と接続できない場合には、移動通信機９内で算出処理を継続し、制御端末３と接続可能状態になることで算出した情報を制御端末３に一括して送信する。これにより、一時的に通信できない状態であっても後に正確な情報を取得することができるため、常時通信をすることなく制御することができる。
【００８２】
（移動通信機の位置情報を用いた移動通信機による動作条件決定の他の例）
また、移動通信機９の位置情報を用いて移動通信機９が動作条件を決定する他の例について再度、図６を用いて説明する。
【００８３】
移動通信機９は、条件取得部３１に記憶されている制御端末３の位置情報を参照する（ステップＳ７１）。ステップＳ７２〜Ｓ７８については、「移動通信機の位置情報を用いた制御端末による動作条件決定の一例」に示した処理を、制御端末３の動作条件決定部３２の代わりに移動通信機９で行う点のみが異なり、他は同様である。なお、ステップＳ７２及びＳ７４において移動通信機９は、自身が有する位置情報取得機能によって移動通信機９の現在地情報を取得する。
【００８４】
このような構成にすることにより、移動通信機９が制御端末３と接続できない場合でも、制御端末３と移動通信機９との距離の算出は継続して行うことができる点で上述した効果を得ることができる。
【００８５】
以上に示したように、本発明に係る機器管理システムでは、ユーザの帰宅時間を精度よく予測可能となるため、無人時であっても、例えば時間が必要ではあるが熱効率の高い（エネルギーロスの低い）動作条件で室内環境制御装置を制御して、室内環境を整えることが可能になる。
【００８６】
（その他）
以上、本発明に係る信号処理装置について、実施の形態及び変形例に基づいて説明したが、本発明は、上記実施の形態及び変形例に限定されるものではない。
【００８７】
その他、各実施の形態及び変形例に対して当業者が思いつく各種変形を施して得られる形態や、本発明の趣旨を逸脱しない範囲で実施の形態における構成要素及び機能を任意に組み合わせることで実現される形態も本発明に含まれる。
【００８８】
例えば、室内環境制御装置２の動作の例として、フード付換気装置２１をオン状態にするという動作等を挙げたが、ユーザの帰宅の時間を予測し、この帰宅の時間までに様々な室内環境制御装置２を組み合わせて空気環境を整えることが可能である。
【産業上の利用可能性】
【００８９】
本発明は、外出している人が住居などの拠点に戻るタイミングを精度よく検出することができるため、無人時においてもエネルギーロスを抑えながら室内空間の空気環境を整える機器管理システムとして有用である。
【符号の説明】
【００９０】
１  機器管理システム
２  室内環境制御装置
２１  フード付換気装置
２１１  フード部
２１２  室外吐出口
２１３  室内吸込口
２１５  排気シャッター
２２  空調装置
３，１０３  制御端末
３１  条件取得部
３２  動作条件決定部
３３  制御部
３４  外部通信部
３５  実績記憶部
４  室内温度センサ
５  室外温度センサ
６  室内空間
７  室外空間
９  移動通信機
９１  インターネット
【図１】
2017179386.tif 000003
【図２】
2017179386.tif 000004
【図３】
2017179386.tif 000005
【図４】
2017179386.tif 000006
【図５】
2017179386.tif 000007
【図６】
2017179386.tif 000008
【図７】
2017179386.tif 000009
【図８】
2017179386.tif 000010
【図９】
2017179386.tif 000011
【図１０】
2017179386.tif 000012
【図１１】
2017179386.tif 000013
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
室内空間の空気環境を制御する複数の室内環境制御装置と、前記複数の室内環境制御装置各々と情報の送受信が可能となるように接続された制御端末と、を備えた機器管理システムであって、
前記制御端末は、
公衆回線を介して前記公衆回線に接続された移動通信機と通信可能な外部通信部と、
前記外部通信部を介して前記移動通信機から前記室内環境制御装置の動作条件に関連する情報を取得する条件取得部と、
前記条件取得部が取得した情報に基づいて前記室内環境制御装置の動作条件を決定する動作条件決定部と、
前記動作条件決定部が決定した動作条件で前記室内環境制御装置を制御する制御部と、
を備えた機器管理システム。
【請求項２】
前記制御端末は、
前記制御端末の位置情報を記憶し、
前記動作条件決定部は、
前記外部通信部を介して取得した前記移動通信機の現在地情報と前記制御端末の位置情報とに基づいて前記制御端末と前記移動通信機との距離を算出し、
前記距離が予め記憶された所定の距離以下になった場合に前記制御部を介して前記室内環境制御装置を動作させる請求項１に記載の機器管理システム。
【請求項３】
前記動作条件決定部は、
前記外部通信部を介して複数回、前記移動通信機の現在地情報を取得し、
最後に取得した前記移動通信機の前記現在地情報と前記制御端末の位置情報に基づいて前記制御端末と前記移動通信機との距離を算出し、
前記距離が前記予め記憶された所定の距離以下になり、かつ、前記移動通信機が前記制御端末に近づいている場合に前記制御部を介して前記室内環境制御装置を制御する請求項２に記載の機器管理システム。
【請求項４】
前記条件取得部は、
前記室内空間の目標とする温度である室内目標温度を取得し、
前記動作条件決定部は、
前記条件取得部を介して前記室内目標温度を取得し、
前記外部通信部を介して複数回、異なるタイミングで前記移動通信機の現在地情報を取得し、
前記移動通信機の現在地情報と前記制御端末の位置情報とに基づいて前記制御端末と前記移動通信機との距離を算出し、
複数の前記移動通信機の現在地情報に基づいて前記移動通信機の移動速度を算出し、
算出した前記距離と前記移動速度とに基づいて、前記移動通信機が前記制御端末の位置に到達する予定時刻を逆算し、
逆算した前記予定時刻に基づいて前記室内環境制御装置のオン時刻及び動作条件を決定し、
前記制御部は、
前記動作条件決定部が決定した動作条件で前記室内環境制御装置を制御する請求項２に記載の機器管理システム。
【請求項５】
前記制御端末は、
前記制御端末の位置情報を記憶し、
前記動作条件決定部は、
前記外部通信部を介して取得した前記移動通信機の現在地情報と前記制御端末の位置情報とに基づいて前記制御端末と前記移動通信機との距離と、前記制御端末からの前記移動通信機の方位とを算出し、
前記方位と過去の前記方位における前記移動通信機が前記制御端末の位置に到達するまでの時間の履歴とに基づいて、前記移動通信機が前記制御端末の位置に到達する予定時刻を予測し、
予測した前記予定時刻に基づいて前記室内環境制御装置のオン時刻を決定し、
前記制御部は、
前記動作条件決定部が決定した動作条件で前記室内環境制御装置を動作させる請求項１に記載の機器管理システム。
【請求項６】
前記条件取得部は、
前記室内空間の目標とする温度である室内目標温度と、
室外空間の温度と、を取得し、
前記室内目標温度と前記室外空間の温度との差に基づいて前記予め記憶された所定の距離を変更する請求項４に記載の機器管理システム。
【請求項７】
前記条件取得部は、
前記室内目標温度と前記室外空間温度との差が大きい場合には前記所定の距離を長く変更する請求項６に記載の機器管理システム。
【請求項８】
前記条件取得部は、
前記室内目標温度と前期室外空間温度との差が小さい場合には前記所定の距離を短く変更する請求項６に記載の機器管理システム。
【請求項９】
前記動作条件決定部は、
前記室内環境制御装置の動作を開始した後に前記移動通信機の現在地情報を取得し、
前記移動通信機の移動が停止し、または前記移動通信機が前記制御端末から離れている場合には動作中の室内環境制御装置を停止する請求項２に記載の機器管理システム。
【請求項１０】
自機の現在地情報を取得可能であると共に公衆回線を介して前記公衆回線に接続された前記制御端末と通信可能な移動通信機を備え、
前記制御端末は、
前記制御端末の位置情報を記憶し、
前記移動通信機は、
前記制御端末から前記公衆回線を介して前記位置情報を取得し、
前記位置情報と前記移動体通信機の現在地情報とに基づいて前記制御端末と前記移動通信機との距離を算出し、
前記距離が所定の距離以下になった場合に、前記制御端末を構成する前記動作条件決定部に前記室内環境制御装置を動作させる旨の動作命令を送信し、
前記動作条件決定部は、
前記移動通信機からの前記動作命令を受けて、前記制御部を介して前記室内環境制御装置を動作させる請求項１に記載の機器管理システム。
【請求項１１】
前記移動通信機は、
異なるタイミングで複数回、前記制御端末との距離を算出し、
前記距離が所定の距離以下になり、かつ、前記移動通信機が前記制御端末に近づいている場合に前記動作命令を送信し、前記制御端末を介して前記室内環境制御装置を動作させる請求項１０に記載の機器管理システム。
【請求項１２】
前記移動通信機は、
前記室内環境制御装置の動作を開始した後に前記移動通信機の現在地情報を取得し、
前記移動通信機の移動が停止し、または前記移動通信機が前記制御端末から離れている場合には停止命令を送信し、動作中の前記室内環境制御装置を前記制御端末を介して停止する請求項１１記載の機器管理システム。
【請求項１３】
前記移動通信機は、携帯電話、カーナビゲーション装置又はＧＰＳ発信機である請求項１に記載の機器管理システム。
【請求項１４】
室内空間の空気環境を制御する室内環境制御装置と、
前記室内環境制御装置を制御するように構成された制御端末と、
前記制御端末に公衆回線を介して接続された移動通信機と、を備え、
前記移動通信機は、
前記制御端末の位置情報を取得し、
前記移動通信機の現在地情報を取得し、
前記移動通信機の前記現在地情報と前記制御端末の前記位置情報に基づいて、前記制御端末と前記移動通信機との距離を複数回算出し、
前記現在地情報に基づいて前記移動通信機の速度を算出し、
前記距離と前記速度に基づいて、前記移動通信機が前記室内空間に到着する予定時刻を算出し、
前記到着する予定時刻に基づいて、前記室内環境制御装置のオン時刻と動作条件を決定し、
前記オン時刻と前記動作条件に基づいて前記室内環境制御装置を制御する、
機器管理システム。
【請求項１５】
前記オン時刻と前記動作条件は、室内目標温度と室外温度との差と、室内環境制御装置の数と、前記室内制御装置の種類に基づいて決定される、請求項１４に記載の機器管理システム。
【請求項１６】
前記移動通信機は、
前記室内空間への過去の到着時刻を記憶し、
前記距離と前記速度と前記記憶された過去の到着時間に基づいて、前記移動通信機の前記室内空間への到着予定時間を算出する、
請求項１４に記載の機器管理システム。
【請求項１７】
前記移動通信機は、
オン時刻後において、前記移動通信機が閾値時間以上停止する又は前記移動通信機が前記室内空間から遠ざかる場合、前記動作条件を変更する、
請求項１４に記載の機器管理システム。
【請求項１８】
前記動作条件は、オン時刻後において前記移動通信機を使用するユーザによって変更される、
請求項１４に記載の機器管理システム。
【請求項１９】
前記移動通信機は、携帯電話、カーナビゲーションシステム又はＧＰＳ発信機である、
請求項１４に記載の機器管理システム。
【請求項２０】
前記室内環境制御装置は、少なくとも換気扇を含む、
請求項１４に記載の機器管理システム。
【国際調査報告】
2017179386.tif 000014
2017179386.tif 000015